【手続補正書】
【提出日】平成31年3月4日(2019.3.4)
【手続補正１】
【補正対象書類名】特許請求の範囲
【補正対象項目名】全文
【補正方法】変更
【補正の内容】
【特許請求の範囲】
【請求項１】
第１の方向に向く第１の面と、前記第１の方向の反対の第２の方向に向く第２の面と、前記第１の面と前記第２の面とに接続される内縁と、を有する基板と、
前記第１の面に設けられた第１の配線と、
前記第２の面に設けられた第２の配線と、
前記内縁に設けられ、前記第１の配線及び前記第２の配線に接続され、前記第１の配線より薄く、且つ前記第２の配線より薄い第１の導体と、前記内縁に囲まれるとともに、前記第１の導体に電気的に接続された第２の導体と、を有する層間接続部と、
を具備するモジュール。
【請求項２】
前記第１の導体は、前記第１の配線から前記第２の配線へ電流を流すよう構成され、
前記層間接続部は、前記第１の面に沿うとともに前記第１の配線から前記第１の導体に電流が流れる方向と交差する第３の方向に延びる第１の部分を含む、
請求項１のモジュール。
【請求項３】
前記層間接続部は、前記第２の面に沿うとともに前記第１の導体から前記第２の配線に電流が流れる方向と交差する第４の方向に延びる第２の部分を含む、請求項２のモジュール。
【請求項４】
前記第１の導体は、前記第１の配線から前記第２の配線へ電流を流すよう構成され、
前記層間接続部は、前記第１の面に沿う第５の方向に延びる第１の部分を含み、
前記第１の部分は、前記第５の方向に延びる第１の縁を含み、前記第１の縁が前記第１の配線の中心線と交差し又は前記第１の配線の中心線に向くように配置された、
請求項１のモジュール。
【請求項５】
前記第１の導体は、前記第１の配線から前記第２の配線へ電流を流すよう構成され、
前記第１の配線は、前記第１の面に沿う第７の方向に延びるとともに前記第１の導体に接続される第１の延部、を有し、
前記層間接続部は、前記第１の面に沿うとともに前記第７の方向と交差する第８の方向に延びる第１の部分を含む、
請求項１のモジュール。
【請求項６】
前記層間接続部は、前記第１の面に沿う第１１の方向に延びる縁を含み、前記縁から前記第１の面に沿うとともに前記第１１の方向と直交する第１２の方向に向かって前記第１１の方向における長さが縮小する形状に形成され、
前記第１の導体は、前記第１の配線から前記第２の配線へ電流を流すよう構成され、
前記第１の配線は、前記縁から前記第１２の方向の反対の第１３の方向に延びる第１の延部を有し、
前記第１の延部は、前記第１の導体と、前記第１の延部を通して前記第１の導体へ電流を流すよう構成された第３の導体と、を接続する、
請求項１のモジュール。
【請求項７】
前記第１１の方向における前記層間接続部の長さは、前記第１２の方向における前記層間接続部の長さよりも長い、請求項６のモジュール。
【請求項８】
前記第２の導体は、半田を含む、請求項１乃至請求項７のいずれか一つのモジュール。
【請求項９】
前記内縁は、前記第１の面と交差する第１４の方向に延びて前記第１の面と前記第２の面とに接続され、
前記層間接続部の前記第１４の方向に直交する断面積は、前記第１の配線の当該第１の配線が延びる方向に直交する断面積よりも大きい、
請求項１乃至請求項８のいずれか一つのモジュール。
【手続補正２】
【補正対象書類名】明細書
【補正対象項目名】発明の名称
【補正方法】変更
【補正の内容】
【発明の名称】モジュール
【手続補正３】
【補正対象書類名】明細書
【補正対象項目名】０００１
【補正方法】変更
【補正の内容】
【０００１】
本実施形態は、モジュールに関する。
【手続補正４】
【補正対象書類名】明細書
【補正対象項目名】０１３７
【補正方法】変更
【補正の内容】
【０１３７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に、出願当初の特許請求の範囲の内容を付記する。
［１］
第１の方向に向く第１の面と、前記第１の方向の反対の第２の方向に向く第２の面と、前記第１の面と前記第２の面とに接続される内縁と、を有する基板と、
前記第１の面に設けられた第１の配線と、
前記第２の面に設けられた第２の配線と、
前記内縁に設けられ、前記第１の配線及び前記第２の配線に接続され、前記第１の配線より薄く、且つ前記第２の配線より薄い第１の導体と、前記内縁に囲まれるとともに、前記第１の導体に電気的に接続された第２の導体と、を有する層間接続部と、
を具備するモジュール。
［２］
前記第１の導体は、前記第１の配線から前記第２の配線へ電流を流すよう構成され、
前記層間接続部は、前記第１の面に沿うとともに前記第１の配線から前記第１の導体に電流が流れる方向と交差する第３の方向に延びる第１の部分を含む、
［１］のモジュール。
［３］
前記層間接続部は、前記第２の面に沿うとともに前記第１の導体から前記第２の配線に電流が流れる方向と交差する第４の方向に延びる第２の部分を含む、［２］のモジュール。
［４］
前記第１の導体は、前記第１の配線から前記第２の配線へ電流を流すよう構成され、
前記層間接続部は、前記第１の面に沿う第５の方向に延びる第１の部分を含み、
前記第１の部分は、前記第５の方向に延びる第１の縁を含み、前記第１の縁が前記第１の配線の中心線と交差し又は前記第１の配線の中心線に向くように配置された、
［１］のモジュール。
［５］
前記層間接続部は、前記第２の面に沿う第６の方向に延びる第２の部分を含み、
前記第２の部分は、前記第６の方向に延びる第２の縁を含み、前記第２の縁が前記第２の配線の中心線と交差し又は前記第２の配線の中心線に向くよう配置された、
［４］のモジュール。
［６］
前記第１の導体は、前記第１の配線から前記第２の配線へ電流を流すよう構成され、
前記第１の配線は、前記第１の面に沿う第７の方向に延びるとともに前記第１の導体に接続される第１の延部、を有し、
前記層間接続部は、前記第１の面に沿うとともに前記第７の方向と交差する第８の方向に延びる第１の部分を含む、
［１］のモジュール。
［７］
前記第２の配線は、前記第２の面に沿う第９の方向に延びるとともに前記第１の導体に接続される第２の延部、を有し、
前記層間接続部は、前記第２の面に沿うとともに前記第９の方向と交差する第１０の方向に延びる第２の部分を含む、
［６］のモジュール。
［８］
前記層間接続部は、前記第１の面に沿う第１１の方向に延びる縁を含み、前記縁から前記第１の面に沿うとともに前記第１１の方向と直交する第１２の方向に向かって前記第１１の方向における長さが縮小する形状に形成され、
前記第１の導体は、前記第１の配線から前記第２の配線へ電流を流すよう構成され、
前記第１の配線は、前記縁から前記第１２の方向の反対の第１３の方向に延びる第１の延部を有し、
前記第１の延部は、前記第１の導体と、前記第１の延部を通して前記第１の導体へ電流を流すよう構成された第３の導体と、を接続する、
［１］のモジュール。
［９］
前記第１１の方向における前記層間接続部の長さは、前記第１２の方向における前記層間接続部の長さよりも長い、［８］のモジュール。
［１０］
前記第２の導体は、半田を含む、［１］乃至［９］のいずれか一つのモジュール。
［１１］
前記層間接続部は、前記第２の導体を介して前記第１の導体に電気的に接続された第４の導体を有し、
前記第４の導体は、前記内縁に囲まれた挿通部を有する、
［１０］のモジュール。
［１２］
前記第４の導体は、前記挿通部に接続され、前記第１の面又は前記第２の面に支持される支持部、をさらに有する、［１１］のモジュール。
［１３］
前記第４の導体の電気抵抗は、前記第２の導体の電気抵抗よりも低い、［１１］又は［１２］のモジュール。
［１４］
前記内縁は、前記第１の面と交差する第１４の方向に延びて前記第１の面と前記第２の面とに接続され、
前記層間接続部の前記第１４の方向に直交する断面積は、前記第１の配線の当該第１の配線が延びる方向に直交する断面積よりも大きい、
［１］乃至［１３］のいずれか一つのモジュール。
［１５］
［１］乃至［１４］のいずれか一つのモジュールを具備する電子機器。
［１６］
第１の方向に向く第１の面と、前記第１の方向の反対の第２の方向に向く第２の面と、前記第１の面と前記第２の面とに接続される内縁と、を有する基板と、
前記第１の面に設けられた第１の配線と、
前記第２の面に設けられた第２の配線と、
前記内縁に設けられ、前記第１の配線及び前記第２の配線に接続され、前記第１の配線より薄く、且つ前記第２の配線より薄い第１の導体と、前記内縁に囲まれるとともに、前記第１の導体に電気的に接続された第２の導体と、を有する層間接続部と、
を具備する配線板。